(57)【要約】【課題】電源部を適切に配置することで装置の大型化を抑制する。【解決手段】プリンター１０は、媒体を給送する媒体給送手段により送り出された媒体を上側に湾曲させ反転させる反転経路２８ａと、反転経路２８ａの下流であって鉛直方向において反転経路２８ａの頂部より低い位置で媒体に記録を行う記録ヘッド４４を備えたキャリッジ３８と、記録ヘッド４４を含む駆動対象を駆動する際の電力を供給する電源部４８と、前記記録部の上側に配置され原稿を読み取るスキャナ部１４と、スキャナ部１４を駆動させる駆動モーターを収容する突出部２２ａと、を備える。電源部４８は、キャリッジ３８と突出部２２ａとの間に位置する。【選択図】図２
2020124929.tif 000002
【特許請求の範囲】
【請求項１】
媒体を給送する媒体給送手段により送り出された媒体を上側に湾曲させ反転させる反転経路と、
前記反転経路の下流であって鉛直方向において前記反転経路の頂部より低い位置で媒体に記録を行う記録ヘッドを備えた記録部と、
前記記録ヘッドを含む駆動対象を駆動する際の電力を供給する電源部と、
前記記録部の上側に配置され原稿を読み取る原稿読み取り部と、  
前記原稿読み取り部を駆動させる駆動モーターを収容する収容部と、を備え、
前記電源部は、前記記録部と前記収容部との間に位置する、
ことを特徴とする記録装置。
【請求項２】
媒体を給送する媒体給送手段により送り出された媒体を上側に湾曲させ反転させる反転経路と、
前記反転経路の下流であって鉛直方向において前記反転経路の頂部より低い位置で媒体に記録を行う記録ヘッドを備えた記録部と、
前記記録ヘッドを含む駆動対象を駆動する際の電力を供給する電源部と、
前記記録部の上側に配置され原稿を読み取る原稿読み取り部と、  
前記原稿読み取り部によって読み取った情報を制御部に送信するケーブルを収容する収容部と、を備え、
前記電源部は、前記記録部と前記収容部との間に位置する、
ことを特徴とする記録装置。
【請求項３】
請求項１または請求項２に記載の記録装置において、
前記電源部は、前記収容部の一部と高さ方向で重なっている、
ことを特徴とする記録装置。
【請求項４】
請求項１から請求項３のいずれか一項に記載の記録装置において、
前記電源部は、水平方向から見て前記記録部の少なくとも一部および前記反転経路の少なくとも一部と重なっている、
ことを特徴とする記録装置。
【請求項５】
媒体を下側に湾曲させ且つ反転させる下向き経路と、
媒体に記録を行う記録ヘッドを備えた記録部と、
前記記録ヘッドを含む駆動対象を駆動する際の電力を供給する電源部と、を備え、
前記電源部は、前記記録部とともに前記下向き経路の内側に設けられている、
ことを特徴とする記録装置。
【請求項６】
請求項５に記載の記録装置において、
媒体を給送する媒体給送手段により送り出された媒体を上側に湾曲させ且つ反転させる反転経路をさらに備え、
前記電源部は、前記反転経路と前記記録部との間に設けられる、
ことを特徴とする記録装置。
【発明の詳細な説明】
【技術分野】
【０００１】
本発明は、媒体に記録を行う記録装置に関する。
【背景技術】
【０００２】
特許文献１には、媒体を搬送する搬送部と、媒体に記録する記録部とを含む機構部と、機構部を制御するための電子部品が実装されたメイン基板とを備えた記録装置において、装置本体内における前記機構部を構成する機構部品が配置される機構部品配置エリア内において、装置本体の底部と機構部との隙間にメイン基板を配置した構成が開示されている。これにより、メイン基板が機構部品配置エリア内における装置本体の底部と機構部との隙間に配置されることで、メイン基板が機構部品配置エリア外に配置された構成に比べ、装置の小型化を可能としている。
【先行技術文献】
【特許文献】
【０００３】
【特許文献１】特開２０１４−０１４９４３号公報
【発明の概要】
【発明が解決しようとする課題】
【０００４】
記録装置にはメイン基板のほか、メイン基板およびモーター等の動力源に電力を供給する電源部（レギュレータ）が配置される。電源部は記録装置において大きな配置スペースを必要とする為、装置寸法に大きな影響を与える。  
従来の記録装置では、電源プラグを挿抜するインレットが装置背面側、且つ装置側面寄りに設けられている関係上、電源部も同位置に設けられている（特許文献１参照）。
【０００５】
従って従来の記録装置では、電源部の配置に起因して装置の大型化が生じていた。  
そこで本発明はこの様な問題に鑑み成されたものであり、その目的は、電源部を適切に配置することで装置の大型化を抑制することにある。
【課題を解決するための手段】
【０００６】
上記課題を解決する為の、本発明の第１の態様に係る記録装置は、媒体を給送する媒体給送手段により送り出された媒体を上側に湾曲させ反転させる反転経路と、前記反転経路の下流であって鉛直方向において前記反転経路の頂部より低い位置で媒体に記録を行う記録ヘッドを備えた記録部と、前記記録ヘッドを含む駆動対象を駆動する際の電力を供給する電源部と、を備え、前記電源部は、水平方向において前記反転経路と前記記録部との間に位置するとともに、水平方向から見て前記記録部の少なくとも一部、前記電源部の少なくとも一部、前記反転経路の少なくとも一部、のこれらが重なっていることを特徴とする。
【０００７】
本態様によれば、前記電源部は、水平方向において前記反転経路と前記記録部との間に位置するとともに、水平方向から見て前記記録部の少なくとも一部、前記電源部の少なくとも一部、前記反転経路の少なくとも一部、のこれらが重なっているので、前記反転経路と前記記録部の配置によって形成されたスペースを利用して前記電源部を配置する状態となり、前記電源部の配置に伴う装置の大型化を抑制することができ、特に鉛直方向寸法の抑制を図ることができる。
【０００８】
本発明の第２の態様は、第１の態様において、前記電源部を収容するフレーム材を有し、前記フレーム材の少なくとも一部が、媒体を搬送する搬送経路を形成することを特徴とする。  
本態様によれば、前記電源部を収容するフレーム材が、媒体を搬送する搬送経路を形成するので、部品点数の削減により低コスト化を図ることができる。
【０００９】
本発明の第３の態様は、第１のまたは第２の態様において、媒体を斜め下に向けて供給し、前記反転経路または前記反転経路と前記記録ヘッドとの間の媒体搬送経路に媒体を送り込む媒体給送経路を備え、水平方向から見て前記媒体給送経路の少なくとも一部と前記電源部の少なくとも一部とが重なっていることを特徴とする。
【００１０】
本態様によれば、媒体を斜め下に向けて供給し、前記反転経路または前記反転経路と前記記録ヘッドとの間の媒体搬送経路に媒体を送り込む媒体給送経路を備えた構成において、水平方向から見て前記媒体給送経路の少なくとも一部と前記電源部の少なくとも一部とが重なっているので、前記電源部の配置に伴う装置の大型化を抑制でき、特に鉛直方向寸法の抑制を図ることができる。
【００１１】
本発明の第４の態様は、第１から第３の態様のいずれかにおいて、前記記録部の上部に原稿を読み取る原稿読み取り部を備え、前記電源部が、前記原稿読み取り部の下側に配置されていることを特徴とする。
【００１２】
本態様によれば、前記記録部の上部に原稿を読み取る原稿読み取り部を備え、前記電源部が、前記原稿読み取り部の下側に配置されている構成において、上述した第１から第３の態様のいずれかの作用効果を得ることができる。
【００１３】
本発明の第５の態様は、第４の態様において、前記原稿読み取り部は、鉛直下方向に突出する突出部を下側に備え、水平方向から見て前記突出部の少なくとも一部と前記電源部の少なくとも一部が重なっていることを特徴とする。
【００１４】
原稿を読み取る原稿読み取り部を上部に備える構成において、前記原稿読み取り部は、動力源の設置やケーブルの引き回し領域の確保などの為に、鉛直下方向に突出する突出部を下側に備えることがある。この様な構成において、水平方向から見て前記突出部の少なくとも一部と前記電源部の少なくとも一部が重なっているので、前記電源部の配置に伴う装置の大型化を抑制でき、特に鉛直方向寸法の抑制を図ることができる。
【００１５】
本発明の第６の態様は、媒体に記録を行う記録ヘッドを備えた記録部と、媒体を湾曲させ反転させる反転経路と、前記記録ヘッドを含む駆動対象を駆動する際の電力を供給する電源部と、を備え、前記電源部が、前記記録部とともに前記反転経路の内側に設けられていることを特徴とする。
【００１６】
本態様によれば、前記電源部が、前記記録部とともに前記反転経路の内側に設けられているので、前記反転経路の内側に形成された領域を利用して前記電源部と前記記録部とを配置する状態となり、前記電源部及び前記記録部の配置に伴う装置の大型化を抑制できる。
【図面の簡単な説明】
【００１７】
【図１】本発明に係るプリンターの外観斜視図。
【図２】本発明に係るプリンターの媒体搬送経路を示す側断面図。
【図３】プリンターにおける電源部の配置を示す平面図。
【図４】プリンターの装置本体、フレーム材及び電源部の分解斜視図。
【図５】電源部がフレーム材に配置された状態を示す斜視図。
【図６】フレーム材及び電源部の分解斜視図。
【図７】装置背面におけるインレットを示す斜視図。
【図８】第１の実施例の変更例を示す平面図。
【図９】第２の実施例におけるプリンターの媒体搬送経路を示す側断面図。
【図１０】第２の実施例におけるフレーム材及び電源部を示す斜視図。
【図１１】第３の実施例におけるプリンターの媒体搬送経路を示す側断面図。
【発明を実施するための形態】
【００１８】
以下、本発明の実施の形態を図面に基づいて説明する。尚、各実施例において同一の構成については、同一の符号を付し、最初の実施例においてのみ説明し、以後の実施例においてはその構成の説明を省略する。
【００１９】
図１は本発明に係るプリンターの外観斜視図であり、図２は本発明に係るプリンターの媒体搬送経路を示す側断面図であり、図３はプリンターにおける電源部の配置を示す平面図であり、図４はプリンターの装置本体、フレーム材及び電源部の分解斜視図であり、図５は電源部がフレーム材に配置された状態を示す斜視図であり、図６はフレーム材及び電源部の分解斜視図である。
【００２０】
図７は装置背面におけるインレットを示す斜視図であり、図８は第１の実施例の変更例を示す平面図であり、図９は第２の実施例におけるプリンターの媒体搬送経路を示す側断面図であり、図１０は第２の実施例におけるフレーム材及び電源部を示す斜視図であり、図１１は第３の実施例におけるプリンターの媒体搬送経路を示す側断面図である。
【００２１】
また、各図において示すＸ−Ｙ−Ｚ座標系はＸ方向がキャリッジの主走査方向（移動方向）、すなわち記録装置の幅方向、Ｙ方向が記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００２２】
■■■第１の実施例■■■■
＜＜＜プリンターの概要＞＞＞
図１及び図２を参照するに、プリンター１０は、装置本体１２と、「原稿読み取り部」としてのスキャナ部１４とを備えている。装置本体１２の装置奥行き方向前面側には操作部１６が設けられている。本実施例において操作部１６には、プリンター１０を操作するための入力ボタンやプリンター１０の情報を表示するための表示パネルが設けられている。
【００２３】
また、装置本体１２の装置奥行き方向前面側において操作部１６の下方には、装置本体１２内から装置奥行き方向前面側に向けて媒体を排出する排出口１８が設けられている。また、装置本体１２において排出口１８の下方には、媒体収容部２０が設けられている。本実施例において、媒体収容部２０は装置本体１２に対して、装置奥行き方向前面側から着脱可能に取り付けられている。媒体収容部２０は、箱状に形成され、その内部に媒体が収容可能である。
【００２４】
また、装置本体１２の上部にはスキャナ部１４が設けられている。スキャナ部１４は、本体部２２（図２参照）と、本体部２２の上部に設けられた原稿台２４（図２参照）と、原稿給送部２６とを備えている。原稿台２４は、一例として透明なガラス板で形成され、その上面に原稿を載置可能に構成されている。
【００２５】
また、原稿給送部２６は本体部２２に対して回動可能に連結されている。すなわち、原稿給送部２６は、回動することにより原稿台２４を開閉する。原稿給送部２６は、閉じた状態（図１参照）では、原稿台２４を覆っており、開いた状態（不図示）では原稿台２４を露出させる。
【００２６】
そして、原稿台２４に対して原稿給送部２６を回動させて開いた状態とし、原稿台２４を露出させ、その上面に原稿をセットし、原稿給送部２６を閉じることで、原稿台２４において原稿の読み取りが可能となる。尚、原稿台２４の下方、すなわち本体部２２内には原稿台２４にセットされた原稿を読み取り可能な読み取り手段（不図示）が設けられている。
【００２７】
また、本実施例において図１に示すように原稿給送部２６には原稿載置部２６ａ及び原稿排出トレイ２６ｂが設けられている。原稿載置部２６ａに載置された媒体が不図示の給送手段により送られると、原稿台２４において前記読み取り手段により読み取られて、原稿排出トレイ２６ｂに排出される。
【００２８】
＜＜＜媒体搬送経路について＞＞＞
次いで、図２を参照して装置本体１２における媒体の媒体搬送経路２８について説明する。図２において符号Ｐが付された太い実線は、媒体収容部２０から排出口１８までの媒体搬送経路２８に沿って搬送される媒体の案内経路を示している。
【００２９】
装置本体１２内には、媒体搬送経路２８に沿って「媒体給送手段」としてのピックアップローラー３０、反転ローラー３２、従動ローラー３４ａ、３４ｂ、搬送ローラー対３６、「記録部」としてのキャリッジ３８及び排出ローラー４０の順に設けられている。ピックアップローラー３０は、回動軸４２を支点に回動可能に、媒体収容部２０の上方に配置されている。そして、ピックアップローラー３０により媒体収容部２０から給送された媒体は、反転ローラー３２と従動ローラー３４ａ、３４ｂとにニップされて、搬送ローラー対３６に搬送される。尚、媒体搬送経路２８において反転ローラー３２の外周面に面する部分は、媒体を湾曲させ反転させる反転経路２８ａとして構成されている。
【００３０】
搬送ローラー対３６は媒体をキャリッジ３８に向けて搬送する。本実施例においてキャリッジ３８は、装置幅方向に往復動可能に構成されている。そして、キャリッジ３８の下部には、記録ヘッド４４が設けられている。本実施例において記録ヘッド４４は装置高さ方向下方側に向けてインクを吐出するように構成されている。
【００３１】
尚、本実施例においてキャリッジ３８の下部に設けた記録ヘッド４４の装置高さ方向における位置は、反転経路２８ａの頂部、図２において符号Ｚ１が付された位置よりも下方に位置している。つまり、記録ヘッド４４は、装置高さ方向において高さ位置Ｚ１よりも下方で媒体に記録を行っている。
【００３２】
また、記録ヘッド４４の下方において、記録ヘッド４４と対向する領域に媒体案内部材４６が設けられている。媒体案内部材４６は、記録ヘッド４４と対向し、記録ヘッド４４と間隔をおいて配置されている。媒体案内部材４６は、搬送ローラー対３６により記録ヘッド４４と対向する領域に搬送されてきた媒体の下面（記録面と反対側の面）を支持する。そして、記録ヘッド４４は、媒体案内部材４６により支持された媒体に対してインクを吐出し、媒体の記録面に記録を実行する。
【００３３】
そして、記録が実行された媒体は、キャリッジ３８の搬送方向下流側に設けられた排出ローラー４０により装置前面側に設けられた排出口１８から装置本体１２の前面側に向けて排出される。
【００３４】
＜＜＜電源部のレイアウトについて＞＞＞
次いで、図３ないし図７を参照して電源部４８について説明する。図３を参照するに、装置本体１２において装置奥行き方向前面側には、キャリッジ３８（図３において実線部分参照）の移動領域Ｒ（図３における二点鎖線で囲まれた領域）が装置幅方向に沿って設けられている。
【００３５】
そして、装置奥行き方向においてキャリッジ３８の背面側、すなわち移動領域Ｒの背面側には、キャリッジ３８の移動方向である装置幅方向への移動を案内するガイド部材５０が装置幅方向に沿って延設されている。そして、装置奥行き方向においてガイド部材５０の背面側には、電源部４８が配置されている。本実施例において電源部４８は、図３に示すようにその内部に複数の電子部品を備える回路基板４８ａ（破線部参照）と、回路基板４８ａを覆う箱状の金属部材４８ｂとを備えている。
【００３６】
本実施例において、電源部４８は、プリンター１０において、記録ヘッド４４を含む駆動対象に駆動する際の電力を供給するように構成されている。本実施例における駆動対象とは、一例として、キャリッジ３８を装置幅方向に往復動させる駆動手段、媒体を給送するピックアップローラー３０、媒体を搬送する搬送ローラー対３６及び排出ローラー４０をそれぞれ回転駆動させる少なくとも一つの駆動モーター（不図示）、スキャナ部１４の読み取り手段（不図示）等を含んでいる。
【００３７】
また、装置本体１２においてガイド部材５０の背面側にはフレーム材５２が配置されている。フレーム材５２は、装置高さ方向上方側が開口され、箱状に形成されている。そして、フレーム材５２は装置幅方向に延びている。本実施例において電源部４８は、図４及び図５に示すようにフレーム材５２の装置高さ方向上方側に開口している開口部５２ａに収容されている。
【００３８】
また、本実施例において電源部４８の装置幅方向右側端部においてケーブル５４の一端が回路基板４８ａに電気的に接続されている。図３、図５及び図６を参照するに、ケーブル５４は、電源部４８の装置幅方向右側端部から引き出され、その後、フレーム材５２内で装置幅方向左側に折り返している。そして、フレーム材５２の装置幅方向左側端部からフレーム材５２の外側に引き出されている。ケーブル５４の他端には、インレット５６が取り付けられている。
【００３９】
本実施例においてインレット５６は図３及び図７に示すように装置本体１２の装置奥行き方向背面側に配置されている。インレット５６の装置奥行き方向背面側には、外部電源（不図示）に接続された電源ケーブルのプラグが接続可能なプラグ接続部５６ａが設けられている。
【００４０】
そして、インレット５６は装置本体１２の装置奥行き方向背面側に設けられた開口部５８（図４参照）を介してプラグ接続部５６ａが装置本体１２の外側に向けて露呈している。そして、インレット５６の露呈した部分、すなわちプラグ接続部５６ａに外部電源（不図示）に接続された電源ケーブルのプラグが接続される。
【００４１】
図３を参照するに、装置本体１２において符号６０が付された領域（二点鎖線部参照）が装置奥行き方向背面側かつ装置幅方向左側に設けられている。この領域６０には、本実施例における電源部４８とは別の電源を設置可能に構成されている。
【００４２】
再度、図２を参照するに、本実施例において電源部４８は、装置奥行き方向において、キャリッジ３８と、媒体搬送経路２８における反転経路２８ａとの間に位置している。そして、用紙搬送方向（Ｙ方向）から見て、キャリッジ３８の少なくとも一部と、電源部４８の少なくとも一部と、反転経路２８ａの少なくとも一部とが重なっている、つまり換言すると、装置高さ方向（Ｚ方向）において、キャリッジ３８の少なくとも一部と、電源部４８の少なくとも一部と、反転経路２８ａの少なくとも一部とがオーバーラップしている。
【００４３】
また、図２に示すように、本実施例において、電源部４８は、スキャナ部１４の本体部２２の下側に配置されている。また、スキャナ部１４の本体部２２には、装置高さ方向（鉛直方向）下方側に向けて突出する突出部２２ａが設けられている。そして、用紙搬送方向（Ｙ方向）から見て、突出部２２ａの少なくとも一部と、電源部４８の少なくとも一部とが重なっている。つまり換言すると、装置高さ方向（Ｚ方向）において、突出部２２ａの少なくとも一部と、電源部４８の少なくとも一部とがオーバーラップしている。
【００４４】
尚、本実施例において突出部２２ａは、スキャナ部１４の本体部２２内に設けられた原稿を読み取る読み取り手段（不図示）を駆動させる駆動モーターや駆動手段および読み取り手段で読み取った原稿の情報をプリンター１０内に設けられた不図示の制御部に送信するケーブルの少なくとも一方を収容する領域として設けられている。
【００４５】
＜＜＜第１の実施例の変更例＞＞＞
（１）本実施例において、プリンター１０において領域６０には電源部４８と別の電源を配置せずに、電源部４８のみを備える構成としたが、この構成に代えて、図８に示すように領域６０に電源部４８とは別の電源部６２を配置してもよい。尚、この構成において、電源部４８と電源部６２とはインレット５６を共用とする構成としてもよい。具体的には、電源部４８とインレット５６とはケーブル５４で接続し、電源部６２とインレット５６とは、不図示のケーブルで接続する構成としてもよい。また、装置本体１２に電源部４８を配置する構成に代えて、電源部６２のみを配置する構成としてもよい。  
（２）本実施例においてケーブル５４の他端にインレット５６を接続する構成としたが、この構成に代えて、ケーブル５４の他端をプリンター１０の装置外側まで引き出し、外部電源等に直接接続する構成、例えば電源のコンセントに接続するためのコンセントプラグをケーブル５４の他端に設ける構成としてもよい。
【００４６】
■■■第２の実施例■■■■
図９及び図１０を参照して第２の実施例に係るプリンター６４について説明する。プリンター６４は、媒体搬送経路２８に加えて媒体給送経路６６を設けた点で第１の実施例と異なる。尚、図９において符号Ｐが付された太い実線は、セット口６８から排出口１８までの媒体給送経路６６及び媒体搬送経路２８に沿って搬送される媒体の案内経路を示している。
【００４７】
プリンター６４の装置奥行き方向背面側の上部には、媒体をセットするセット口６８が設けられている。そして、プリンター６４の装置奥行き方向背面側の上方からセット口６８に差し込まれた媒体は、媒体搬送経路２８の反転経路２８ａ部分に向けて媒体給送経路６６に案内されて給送される。そして、媒体は媒体搬送経路２８に沿って搬送され、記録ヘッド４４と対向する領域において記録が実行された後、排出口１８から排出される。
【００４８】
図９に示すように、本実施例において装置奥行き方向においてキャリッジ３８と媒体給送経路６６との間には、電源部４８とフレーム材７０が配置されている。電源部４８はフレーム材７０に収容されている。そして、図１０に示すようにフレーム材７０において装置奥行き方向背面側、すなわち、媒体給送経路６６と面する側には、経路形成面７０ａが設けられている。本実施例において図９に示すように経路形成面７０ａは媒体給送経路６６の一部を構成している。
【００４９】
また、図９に示すように、用紙搬送方向（Ｙ方向）から見て、電源部４８の少なくとも一部と、媒体給送経路６６の少なくとも一部とは重なっている。つまり、装置高さ方向において、電源部４８の少なくとも一部と、媒体給送経路６６の少なくとも一部とがオーバーラップしている。
【００５０】
＜＜＜第２の実施例の変更例＞＞＞
本実施例において、媒体給送経路６６は、媒体搬送経路２８の反転経路２８ａに合流する構成としたが、この構成に代えて、媒体給送経路６６を媒体搬送経路２８における反転経路２８ａとキャリッジ３８との間で媒体搬送経路２８に合流する構成としてもよい。
【００５１】
■■■第３の実施例■■■■
図１１を参照して、第３の実施例に係るプリンター７２について説明する。本実施例では、装置本体７４の上部に、装置奥行き方向前面側から媒体を差し入れる手差し経路７６を設けた点で第１の実施例及び第２の実施例で異なる。尚、本実施例において、装置奥行き方向背面側には、媒体給送経路６６が設けられている。また、図１１において符号Ｐが付された太い実線は、手差し経路７６及び媒体搬送経路２８に沿って搬送される媒体の案内経路を示している。
【００５２】
装置本体７４の装置奥行き方向前面側の上部には開口７８が設けられている。そして、開口７８から装置奥行き方向背面側に向かって手差し経路７６が延びており、装置奥行き方向背面側において装置高さ方向下方側に湾曲し、媒体搬送経路２８に合流している。
【００５３】
本実施例において手差し経路７６の背面側は反転経路７６ａとして構成されている。すなわち、開口７８から差し入れられた媒体は、手差し経路７６に沿って反転経路７６ａまで送られ、反転経路７６ａで湾曲させ反転させられて媒体搬送経路２８に送られる。そして、媒体は媒体搬送経路２８に沿って搬送され、記録ヘッド４４と対向する領域において記録が実行された後、排出口１８から排出される。
【００５４】
本実施例において、電源部４８及びキャリッジ３８は、手差し経路７６の反転経路７６ａの内側に設けられている。
【００５５】
＜＜＜第３の実施例の変更例＞＞＞
（１）本実施例において、手差し経路７６において、媒体を給送する給送ローラーを設けていないが、この構成に代えて、手差し経路７６の任意の位置に給送ローラーを設ける構成としてもよい。
（２）本実施例においてプリンター７２には媒体搬送経路２８、媒体給送経路６６及び手差し経路７６を備える構成としたが、媒体搬送経路２８及び媒体給送経路６６の少なくとも一方或いは双方を省略しても良い。
【００５６】
＜＜＜第１の実施例ないし第３の実施例の変更例＞＞＞
本実施例において媒体搬送経路２８において、媒体を反転させるローラーを単一の大径の反転ローラー３２で構成したが、この構成に代えて、媒体搬送経路２８の反転経路２８ａ部分において適宜間隔をおいて複数の小径の反転ローラーを設けて、これらの反転ローラーにより媒体を反転させる構成であってもよい。
【００５７】
上記説明をまとめると、プリンター１０、６４、７２は、媒体を給送するピックアップローラー３０により送り出された媒体を上側に湾曲させ反転させる反転経路２８ａと、反転経路２８ａの下流であって鉛直方向において反転経路２８ａの頂部、すなわち高さ位置Ｚ１より低い位置で媒体に記録を行う記録ヘッド４４を備えたキャリッジ３８と、記録ヘッド４４を含む駆動対象、すなわちキャリッジ３８の駆動手段等を駆動する際の電力を供給する電源部４８と、を備えている。電源部４８は、装置奥行き方向において反転経路２８ａとキャリッジ３８との間に位置するとともに、水平方向（本実施形態では用紙搬送方向（Ｙ方向））から見てキャリッジ３８の少なくとも一部、電源部４８の少なくとも一部、反転経路２８ａの少なくとも一部、のこれらが重なっている。
【００５８】
上記構成によれば、電源部４８は、装置奥行き方向において反転経路２８ａとキャリッジ３８との間に位置するとともに、水平方向から見てキャリッジ３８の少なくとも一部、電源部４８の少なくとも一部、反転経路２８ａの少なくとも一部、のこれらが重なっているので、反転経路２８ａとキャリッジ３８の配置によって形成されたスペースを利用して電源部４８を配置する状態となり、電源部４８の配置に伴う装置の大型化を抑制することができ、特に鉛直方向寸法の抑制を図ることができる。
【００５９】
プリンター６４は、電源部４８を収容するフレーム材７０を有し、フレーム材７０の少なくとも一部が、媒体を搬送する搬送経路を形成する。この構成によれば、部品点数の削減により低コスト化を図ることができる。
【００６０】
プリンター６４は、媒体を斜め下に向けて供給し、反転経路２８ａまたは反転経路２８ａと記録ヘッド４４との間の媒体搬送経路２８に媒体を送り込む媒体給送経路６６を備え、水平方向（本実施形態では用紙搬送方向（Ｙ方向））から見て媒体給送経路６６の少なくとも一部と電源部４８の少なくとも一部とが重なっている。この構成によれば、電源部４８の配置に伴う装置の大型化を抑制でき、特に鉛直方向寸法の抑制を図ることができる。
【００６１】
プリンター１０は、キャリッジ３８の上部に原稿を読み取るスキャナ部１４を備え、電源部４８が、スキャナ部１４の下側に配置されている。
【００６２】
スキャナ部１４は、鉛直下方向に突出する突出部２２ａを下側に備え、水平方向（本実施形態では用紙搬送方向（Ｙ方向））から見て突出部２２ａの少なくとも一部と電源部４８の少なくとも一部が重なっている。
【００６３】
原稿を読み取るスキャナ部１４を上部に備える構成において、スキャナ部１４は、動力源の設置やケーブルの引き回し領域の確保などの為に、鉛直下方向に突出する突出部２２ａを下側に備えることがある。この様な構成において、水平方向から見て突出部２２ａの少なくとも一部と電源部４８の少なくとも一部が重なっているので、電源部４８の配置に伴う装置の大型化を抑制でき、特に鉛直方向寸法の抑制を図ることができる。
【００６４】
プリンター７２は、媒体に記録を行う記録ヘッド４４を備えたキャリッジ３８と、媒体を湾曲させ反転させる反転経路７６ａと、記録ヘッド４４を含む駆動対象、すなわち、キャリッジ３８を駆動させる駆動手段等を駆動する際の電力を供給する電源部４８と、を備え、電源部４８が、キャリッジ３８とともに反転経路７６ａの内側に設けられている。この構成によれば、反転経路７６ａの内側に形成された領域を利用して電源部４８とキャリッジ３８とを配置する状態となり、電源部４８及びキャリッジ３８の配置に伴う装置の大型化を抑制できる。
【００６５】
また、本実施形態では本発明に係る電源部４８を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００６６】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００６７】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００６８】
１０、６４、７２…プリンター、１２、７４…装置本体、１４…スキャナ部、
１６…操作部、１８…排出口、２０…媒体収容部、２２…本体部、２２ａ…突出部、
２４…原稿台、２６…原稿給送部、２６ａ…原稿載置部、２６ｂ…原稿排出トレイ、
２８…媒体搬送経路、２８ａ、７６ａ…反転経路、３０…ピックアップローラー、
３２…反転ローラー、３４ａ、３４ｂ…従動ローラー、３６…搬送ローラー対、
３８…キャリッジ、４０…排出ローラー、４２…回動軸、４４…記録ヘッド、
４６…媒体案内部材、４８、６２…電源部、４８ａ…回路基板、４８ｂ…金属部材、
５０…ガイド部材、５２、７０…フレーム材、５２ａ、５８…開口部、５４…ケーブル、
５６…インレット、５６ａ…プラグ接続部、６０…領域、６６…媒体給送経路、
６８…セット口、７０ａ…経路形成面、７６…手差し経路、７８…開口、Ｒ…移動領域、
Ｚ１…反転経路の頂部の高さ位置
【図１】
2020124929.tif 000003
【図２】
2020124929.tif 000004
【図３】
2020124929.tif 000005
【図４】
2020124929.tif 000006
【図５】
2020124929.tif 000007
【図６】
2020124929.tif 000008
【図７】
2020124929.tif 000009
【図８】
2020124929.tif 000010
【図９】
2020124929.tif 000011
【図１０】
2020124929.tif 000012
【図１１】
2020124929.tif 000013